(57)【要約】      （修正有）【課題】展示物を安定的に保持することができ、意匠性に優れた両面展示用の額縁を提供する。【解決手段】矩形状に組み立てられた４つの額縁片１１〜１４を有し、内周面に展示物の外縁部を挟み込む溝が形成された額縁１０を、各額縁片が、額縁の各辺をそれぞれ構成する本体部１５と、本体部の両端部に形成され、隣り合う額縁片の端部と表裏方向に重なり合って額縁の各角部を構成する接合端部１６とをそれぞれ有するように構成すると共に、接合端部が、接合端部を貫通する着脱自在な留め具３０によって接合されるように構成する。【選択図】図１
0003203168.tif 000002
【実用新案登録請求の範囲】
【請求項１】
矩形状に組み立てられた４つの額縁片を有し、内周面に展示物の外縁部を挟み込む溝が形成された額縁であって、
上記各額縁片は、上記額縁の各辺をそれぞれ構成する本体部と、該本体部の両端部に形成され、隣り合う上記額縁片の端部と表裏方向に重なり合って上記額縁の各角部を構成する接合端部とをそれぞれ有し、
上記額縁の各角部において重なり合う２つの上記接合端部は、該２つの接合端部を貫通する着脱自在な留め具によって接合されている
ことを特徴とする額縁。
【請求項２】
請求項１において、
上記各額縁片は、上記接合端部の厚みが上記本体部の半分の厚みになるように形成されている
ことを特徴とする額縁。
【請求項３】
請求項１又は２において、
上記各留め具は、上記額縁の各角部において重なり合う２つの上記接合端部に形成された貫通孔に挿通される棒状部材と、該棒状部材の一端側と他端側とに設けられ、該棒状部材よりも大径の２つの頭部とを有し、
上記各留め具の２つの頭部は、同一形状に形成されている
ことを特徴とする額縁。
【請求項４】
請求項３において、
上記棒状部材は、外周面にねじ山が形成された雄ねじ部と、内周面にねじ溝が形成され、上記雄ねじ部と螺合する雌ねじ部とによって構成され、
上記各留め具は、上記雄ねじ部と上記一方の頭部とが一体に形成された雄ねじ部材と、上記雌ねじ部と他方の上記他方の頭部とが一体に形成された雌ねじ部材とによって構成されている
ことを特徴とする額縁。
【考案の詳細な説明】
【技術分野】
【０００１】    本考案は、写真、絵画、ポスター等の展示物を展示するための額縁に関するものである。
【背景技術】
【０００２】    従来、写真、絵画、ポスター等の展示物を表裏両面に展示するために、２つの展示物を挟み込み可能な額縁が用いられている（下記の特許文献１を参照）。この額縁は、矩形状に形成され、その一辺に、長手方向に延びるスリットが形成され、残りの三辺の内周面のそれぞれに、長手方向に延びる溝がそれぞれ形成されている。【０００３】    上記額縁では、スリットから溝内に一対の透明の板材を挿入し、２種類の展示物を互いの裏面を背中合わせにして溝内の一対の透明の板材の間に挿入することにより、２種類の展示物を表裏に配置する。このような額縁によれば、展示物を入れ替えることなく展示面を変更するだけで２種類の展示物を展示することができる。
【先行技術文献】
【特許文献】
【０００４】
【特許文献１】実用新案登録第３０４３２８９号公報
【考案の概要】
【考案が解決しようとする課題】
【０００５】    ところで、上記額縁では、展示物の出し入れ作業を容易にするために、一辺にスリットを形成し、スリットに展示物を押さえるためのスポンジ玉を挿入している。しかしながら、額が勢いよく転倒した場合等には、スリットから展示物が飛び出すおそれがあった。【０００６】    また、上記額縁では、額縁のスリットが形成された辺からしか展示物を出し入れできない。そのため、長方形状の短辺にスリットが形成された額縁を横置きする場合には、スリットが額の側面に位置するために見栄えが悪いという問題があった。【０００７】    本考案は、かかる点に鑑みてなされたものであり、その目的は、展示物を安定的に保持することができ、意匠性に優れた両面展示用の額縁を提供することにある。
【課題を解決するための手段】
【０００８】    第１の考案は、矩形状に組み立てられた４つの額縁片を有し、内周面に展示物の外縁部を挟み込む溝が形成された額縁であって、上記各額縁片は、上記額縁の各辺をそれぞれ構成する本体部と、該本体部の両端部に形成され、隣り合う上記額縁片の端部と表裏方向に重なり合って上記額縁の各角部を構成する接合端部とをそれぞれ有し、上記額縁の各角部において重なり合う２つの上記接合端部は、該２つの接合端部を貫通する着脱自在な留め具によって接合されているものである。【０００９】    第２の考案は、第１の考案において、上記各額縁片は、上記接合端部の厚みが上記本体部の半分の厚みになるように形成されているものである。【００１０】    第３の考案は、第１又は第２の考案において、上記各留め具は、上記額縁の各角部において重なり合う２つの上記接合端部に形成された貫通孔に挿通される棒状部材と、該棒状部材の一端側と他端側とに設けられ、該棒状部材よりも大径の２つの頭部とを有し、上記各留め具の２つの頭部は、同一形状に形成されているものである。【００１１】    第４の考案は、第３の考案において、上記棒状部材は、外周面にねじ山が形成された雄ねじ部と、内周面にねじ溝が形成され、上記雄ねじ部と螺合する雌ねじ部とによって構成され、上記各留め具は、上記雄ねじ部と上記一方の頭部とが一体に形成された雄ねじ部材と、上記雌ねじ部と他方の上記他方の頭部とが一体に形成された雌ねじ部材とによって構成されているものである。
【考案の効果】
【００１２】    本考案によれば、矩形状の額縁を、矩形の各辺を構成する本体部と、該本体部の両端部に形成されて隣り合う額縁片の端部と表裏方向に重なり合って額縁の角部を構成する接合端部とをそれぞれ有する４つの額縁片で構成し、額縁の各角部において重なり合う２つの接合端部どうしを着脱自在な留め具によって接合するようにした。このような構成により、額縁の４つの辺を構成する４つの額縁片のいずれの額縁片も、その両端部をそれぞれ接合する２つの留め具を外すことによって取り外すことができる。このような構成により、矩形状の額縁のいずれの一辺からも展示物の出し入れが可能となる。また、従来の額縁のように、額縁に展示物の出し入れ用のスリットが形成されないため、額縁の転倒時に、展示物が飛び出ることも防止することができる。さらに、スリットを形成しないことにより、見栄えの悪化を抑制することで、意匠性の向上を図ることもできる。
【図面の簡単な説明】
【００１３】
【図１】図１は、実施形態の両面展示用の額の平面図である。
【図２】図２は、図１におけるＩＩ−ＩＩ線断面図である。
【図３】図３は、図１におけるＩＩＩ−ＩＩＩ線方向の矢視図である。
【図４】図４は、第１額縁片の平面図である。
【図５】図５は、第１額縁片の内側面図である。
【図６】図６は、留め具の全体を示す側面図である。
【図７】図７は、留め具の展開図である。
【図８】図８は、留め具の頭部の平面図である。
【図９】図９は、額縁の組立動作及び展示物の差し替え動作の説明図である。
【考案を実施するための形態】
【００１４】    以下、本考案の実施形態について図面を参照しながら説明する。以下の実施形態は、本質的に好ましい例示にすぎず、本考案、その適用物、あるいはその用途の範囲を制限することを意図するものではない。
【００１５】    《考案の実施形態》
実施形態の額縁は、写真、絵画、ポスター等の展示物を両面に展示するための両面展示用の額に用いられるものである。以下、本実施形態の額縁を備えた両面展示用の額について、図を参照しながら説明する。なお、以下では、本考案に係る額縁が用いられる額の一例として、結婚式の披露宴等で所謂ウェルカムボードとして用いられる両面展示用の額について説明する。
【００１６】    −構成−
図１に示すように、両面展示用の額１は、額縁１０と、２枚のパネル２０と、４つの留め具３０とを備えている。
【００１７】    なお、以下の説明では、説明の便宜上、図１の上側を「上側」、図１の下側を「下側」、図１の左側を「左側」、図１の右側を「右側」と呼び、図１の紙面に垂直な方向を奥行方向と呼ぶと共に、その手前側を「表側」、奥側を「裏側」と呼ぶ。
【００１８】    ［額縁］
図１〜図３に示すように、額縁１０は、第１〜第４額縁片１１〜１４を有し、これらが４つの辺をそれぞれ構成して長方形状に形成されている。第１額縁片１１と第３額縁片１３とは、同一形状に形成されて互いに平行に上下方向に延び、互いに対向する向きに配置されている。一方、第２額縁片１２と第４額縁片１４とは、同一形状に形成されて互いに平行に左右方向に延び、互いに対向する向きに配置されている。本実施形態では、第１〜第４額縁片１１〜１４は、木材によって構成されている。
【００１９】    図４及び図５に示すように、第１〜第４額縁片１１〜１４は、本体部１５と、該本体部１５の両端に連続して形成された２つの接合端部１６，１６とを有している。
【００２０】    各本体部１５は、それぞれ断面が矩形で表面と裏面とが扁平な棒状に形成されている。本実施形態では、第１，第３額縁片１１，１３の本体部１５は、第２，第４額縁片１２，１４の本体部１５よりも短く形成されている。
【００２１】    各本体部１５は、内側面（額縁１０によって囲まれる空間に面する面）に、長手方向に延びる溝１７が形成されている。図１において上下方向に延びる第１，第３額縁片１１，１３の本体部１５には、それぞれの奥行方向の中央部に長手方向（図１では上下方向）に延びる溝１７が形成されている。一方、図１において左右方向に延びる第２，第４額縁片１２，１４の本体部１５には、それぞれの奥行方向の中央部に長手方向（図１では左右方向）に延びる溝１７が形成されている。各溝１７は、後述する２枚のパネル２０の縁部と展示物の縁部とを挟み込める幅に形成されている。
【００２２】    各本体部１５は、それぞれの内側（額縁１０によって囲まれる空間側）の２つの角部１５ａが面取りされている。具体的には、各本体部１５の内側の２つの角部１５ａは、それぞれの長手方向に４５度の角度で各溝１７の深さ分だけ面取りされている。
【００２３】    接合端部１６は、それぞれ正方形状の板状片に形成され、各本体部１５の両端において溝１７よりも外側の部分に連続するように形成されている。各接合端部１６は、各本体部１５の半分の厚みに形成されている。第１，第３額縁片１１，１３の２つの接合端部１６，１６は、それぞれ本体部１５の裏面に面一となるように形成されている。一方、第２，第４額縁片１２，１４の２つの接合端部１６，１６は、それぞれ本体部１５の表面に面一となるように形成されている。
【００２４】    また、各接合端部１６には、中央に奥行方向に貫通する貫通孔１８が形成されている。第１〜第４額縁片１１〜１４は、図１に示す平面視において、隣接する額縁片１１〜１４の互いの接合端部１６の貫通孔１８どうしが重なり合うように配置されている。ここで、上述したように、各接合端部１６は、各本体部１５の半分の厚みに形成されている。また、互いに重なり合う２つの接合端部１６，１６の一方が連続する本体部１５の表面に面一に形成され、他方が連続する本体部１５の裏面に面一に形成されている。そのため、互いに重なり合う２つの接合端部１６，１６は、本体部１５の表面及び裏面と面一となる。
【００２５】    上述のように、隣接する額縁片１１〜１４の互いの接合端部１６の貫通孔１８どうしが重なり合うように配置された状態で、貫通孔１８に後述する留め具３０のねじ部３３，３５を挿通し、留め具３０を締め付けることにより、第１〜第４額縁片１１〜１４は、長方形状に組まれた状態で接合される。
【００２６】    なお、本実施形態では、額縁１０の第１〜第４額縁片１１〜１４の素材は、木材に限られない。後述する２枚のパネル２０と展示物とを保持できるものであれば、いかなる材料を用いて形成してもよい。
【００２７】    ［パネル］
本実施形態では、２枚のパネル２０は、額縁１０の各本体部１５の内周面に形成された溝１７に嵌まる大きさに形成された矩形状の透明の薄板によって構成されている。具体的には、２枚のパネル２０は、例えば、アクリル板等の合成樹脂板やガラス板等によって構成されている。この２枚の透明のパネル２０の間に、２種類の展示物を互いの裏面を重ね合わせて挟み込むことにより、２種類の展示物が展示される。
【００２８】    ［留め具］
図６〜図８に示すように、４つの留め具３０は、互いに螺合する雄ねじ部材３１と雌ねじ部材３２とによって構成されている。本実施形態では、雄ねじ部材３１と雌ねじ部材３２とは、真鍮によって形成されている。
【００２９】    雄ねじ部材３１は、雄ねじ部３３と、該雄ねじ部３３に連続して形成された頭部３４とを有している。雄ねじ部３３は、外周面にねじ山３３ａが形成された棒状部材によって構成されている。一方、頭部３４は、扁平な円板状に形成され、雄ねじ部３３に連続する面と逆側の面に、直径方向に延びる直線形状の溝３４ａが形成されている。溝３４ａは、１円硬貨や１０円硬貨が差し込み可能な幅に形成されている。
【００３０】    雌ねじ部材３２は、雌ねじ部３５と頭部３６とを有している。雌ねじ部３５は、内周面にねじ溝３５ａが形成された円筒部材によって構成されている。雌ねじ部３５を形成する円筒部材の内径は、雄ねじ部材３１の雄ねじ部３３を形成する棒状部材の外径よりも僅かに大径に形成され、雌ねじ部３５のねじ溝３５ａと雄ねじ部３３のねじ山３３ａとが螺合するように形成されている。一方、頭部３６は、雄ねじ部材３１の頭部３４と同一形状に形成されている。具体的には、頭部３６は、雄ねじ部材３１の頭部３４と同様に、扁平な円板状に形成され、雌ねじ部３５に連続する面と逆側の面に、直径方向に延びる直線形状の溝３６ａが形成されている。溝３６ａは、１円硬貨や１０円硬貨が差し込み可能な幅に形成されている。
【００３１】    留め具３０は、雌ねじ部材３２の円筒状の雌ねじ部３５に、雄ねじ部材３１の棒状の雄ねじ部３３を挿入した状態で、雄ねじ部材３１と雌ねじ部材３２とを相対回転させると、ねじ山３３ａとねじ溝３５ａとが螺合し、互いの頭部３４，３６の間隔が縮まる。
【００３２】    なお、留め具３０の素材は、真鍮に限られない。額縁１０の各額縁片を接合する強度を有するものであれば、いかなる材料を用いて形成されていてもよい。
【００３３】    −動作−
［組立動作］
４つの第１〜第４額縁片１１〜１４と、２枚のパネル２０と、４つの両面装飾金具３０とは、組み立てる前の状態で梱包されて搬送される。
【００３４】    まず、第１〜第４額縁片１１〜１４のうち、３つの額縁片を組み立てる。例えば、第１額縁片１１と第２額縁片１２との接合端部１６，１６を互いの貫通孔１８どうしが合わさるように重ね合わせ、それぞれの貫通孔１８の一方側から雌ねじ部材３２の雌ねじ部３５を挿入し、他方側から雌ねじ部３５内に、雄ねじ部材３１の雄ねじ部３３を挿入する。そして、雄ねじ部材３１と雌ねじ部材３２との頭部３４，３６の溝３４ａ，３６ａに硬貨を差し込み、雄ねじ部材３１と雌ねじ部材３２とを相対回転させる。その結果、雄ねじ部材３１のねじ山３３ａと雌ねじ部材３２のねじ溝３５ａとが螺合し、互いの頭部３４，３６の間隔が縮まることにより、第１額縁片１１と第２額縁片１２とが接合される。
【００３５】    第２額縁片１２と第３額縁片１３とについても第１額縁片１１と第２額縁片１２と同様にして接合し、第１〜第３額縁片１１〜１３をコの字状に組み立てる。
【００３６】    その後、２枚のパネル２０の間に２枚の展示物を挿入する。２枚の展示物の裏面どうしを重ね合わせるようにして、２枚のパネル２０の間に挟み込む。そして、図９に示すように、２枚の展示物を挟み込んだ２枚のパネル２０を、コの字状に組み立てた第１〜第３額縁片１１〜１３の溝１７内に挿入する。
【００３７】    ２枚のパネル２０を第２額縁片１２に当接するまで挿入した後、第４額縁片１４を組み付ける。具体的には、第４額縁片１４の２つの接合端部１６，１６をそれぞれ第１額縁片１１と第３額縁片１３の接合端部１６，１６と互いの貫通孔１８どうしが合わさるように重ね合わせ、留め具３０で締め付ける。これにより、第１額縁片１１と第４額縁片１４とが接合され、第３額縁片１３と第４額縁片１４とが接合される。
【００３８】    ［展示物の差し替え動作］
展示物を差し替える際には、いずれか１つの額縁片を外す。例えば、第４額縁片１４の２つの端部に設けられた２つの留め具３０を外し、第４額縁片１４を、コ字状に組み付けられた第１〜第３額縁片１１〜１３から取り外す。上側の第４額縁片１４を取り外すと、第１及び第３額縁片１１，１３の溝１７が上側に向かって開口する。そこで、溝１７に挟み込まれた展示物を上側に引っ張り上げて取り出す。その後、新しい展示物を、第１及び第３額縁片１１，１３の溝１７の上端側からパネル２０の間に挿入する。これにより、展示物が差し替えられる。
【００３９】    新たな展示物がパネル２０に挿入された後、第４額縁片１４を取り付ける。具体的には、第４額縁片１４の両端の接合端部１６，１６をそれぞれ第１額縁片１１と第３額縁片１３の接合端部１６，１６と互いの貫通孔１８どうしが合わさるように重ね合わせ、それぞれ留め具３０で締め付ける。
【００４０】    ［具体的な使用例］
本考案に係る両面展示用の額１は、例えば、結婚式の披露宴で所謂ウエルカムボードとして用いられる。具体的には、使用前に、額１は組み立てられ、２枚のパネル２０間に、“Ｗｅｌｃｏｍｅ”シートと“Ｔｈａｎｋ  ｙｏｕ”シートとを背中合わせに挟み込んでおく。そして、披露宴の開始前には、受付等の横に設置した架台に、“Ｗｅｌｃｏｍｅ”シートを表向きに設置する。一方、披露宴の終了時には、上記架台に設置した額１を裏返して、“Ｔｈａｎｋ  ｙｏｕ”シートを表向きに設置する。
【００４１】    −効果−
本実施形態によれば、矩形状の額縁１０を、矩形の各辺を構成する本体部１５と、該本体部１５の両端部に形成されて隣り合う額縁片の端部と表裏方向に重なり合って額縁１０の角部を構成する接合端部１６とをそれぞれ有する４つの額縁片１１〜１４で構成し、額縁１０の各角部において重なり合う２つの接合端部１６，１６どうしを着脱自在な留め具３０によって接合するようにした。このような構成により、額縁１０の４つの辺を構成する４つの額縁片１１〜１４のいずれの額縁片１１〜１４も、その両端部をそれぞれ接合する２つの留め具３０を外すことによって取り外すことができる。このような構成により、矩形状の額縁１０のいずれの一辺からも展示物の出し入れが可能となる。また、従来の額縁１０のように、額縁１０に展示物の出し入れ用のスリットが形成されないため、額縁１０の転倒時に、展示物が飛び出ることも防止することができる。さらに、スリットを形成しないことにより、見栄えの悪化を抑制することで、意匠性の向上を図ることもできる。
【００４２】    また、本実施形態によれば、額縁１０の各角部では、２つの接合端部１６，１６が表裏に重なり合っているが、接合端部１６の厚みを本体部１５の厚みの半分の厚みに形成することとしたため、額縁１０の表面及び裏面において、各角部に段差が生じることなく、面一に形成することができる。従って、２つの接合端部１６，１６が表裏に重なり合う構成としても、額縁１０の表面及び裏面に段差が形成されることを抑制することで、意匠性の向上を図ることができる。
【００４３】    また、本実施形態によれば、額縁１０の各角部に設けられる各留め具３０を、各角部において重なり合う２つの接合端部１６，１６を貫通するように設けられる棒状部材（雄ねじ部３３及び雌ねじ部３５）と、該棒状部材の一端側と他端側とに設けられて互いに同一形状に形成された棒状部材よりも大径の２つの頭部３４，３６とによって構成することとした。このように、額縁１０の表面と裏面にそれぞれ設けられる２つの頭部３４，３６を同一形状に形成することにより、額縁１０の各角部に設けられる留め具３０が、額縁１０の表側から見ても裏側から見ても同様に見えるように構成することができる。これにより、例えば、２つの接合端部１６，１６を、単なるビス等を用いて接合する場合に比べて、額縁の意匠性を向上させることができる。
【００４４】    また、本実施形態によれば、各留め具３０を、棒状の雄ねじ部３３と頭部３４とが一体に形成された雄ねじ部材３１と、棒状の雌ねじ部３５と頭部３６とが一体に形成された雌ねじ部材３２とで構成することとした。そのため、額縁１０の各角部において、表側と裏側の一方側から雌ねじ部材３２の雌ねじ部３５を貫通孔１８に挿通し、他方側から雄ねじ部材３１の雄ねじ部３３を雌ねじ部３５内に挿入して該雌ねじ部３５と螺合させることにより、隣り合う額縁片１１〜１４の接合端部１６，１６どうしを容易に接合することができる。
【００４５】    また、本実施形態によれば、断面矩形状の棒状部材の両端を同一形状に切り欠き、貫通孔１８を形成するだけで、両端部が隣接する額縁片の端部と表裏方向に重なり合って留め具３０によって容易に接合される接合端部１６となる額縁片１１〜１４を容易に構成することができる。
【００４６】    《その他の実施形態》
上記実施形態では、４つの額縁片１１〜１４を木材によって構成していたが、額縁片１１〜１４の素材は木材に限られず、樹脂や金属等を用いても勿論よい。また、４つの額縁片１１〜１４の全てを同じ素材によって形成する必要はなく、全てを異素材で構成することとしてもよい。異素材を組み合わせて額縁１０を形成することにより、個性豊かな額縁を実現することができる。
【００４７】    また、上記実施形態では、本考案に係る額縁１０を、本体部１５の長さが短い第１，第３額縁片１１，１３と、本体部１５の長さが長い第２，第４額縁片１２，１４とを用いて長方形状に形成していた。しかしながら、本額縁１０の形状はこれに限られない。第１〜第４額縁片１１〜１４を、本体部１５の長さが全て等しい同形状の部材によって構成し、本額縁１０を正方形状に形成することとしても勿論よい。
【００４８】    また、上記実施形態では、本考案に係る額縁１０を、透明の薄板によって構成された２枚のパネル２０を用いた両面展示用の額１に用いていた。しかしながら、本考案に係る額縁１０の適用範囲はこれに限られない。例えば、本額縁１０は、２枚のパネル２０のうち、表側のパネル２０を可透性のある薄板で構成し、裏側のパネル２０を可透性のない薄板、例えば、鏡や黒板のような薄板等で構成した額１に用いてもよい。この種の額１は、表側は展示機能を有し、裏側は展示機能以外の機能（鏡や黒板）を有する。本額縁１０は、上述したように、両面において意匠性に優れたものであるため、このような額１に本考案に係る額縁１０を用いることにより、表側と裏側とで機能の異なる額１において、表側と裏側の両側の意匠性を向上させることができる。
【産業上の利用可能性】
【００４９】    以上説明したように、本考案は、写真、絵画、ポスター等の展示物を展示するための額縁について有用である。
【符号の説明】
【００５０】１０        額縁
１１〜１４  第１〜第４額縁片（額縁片）
１５        本体部
１６        接合端部
１７        溝
１８        貫通孔
３０        留め具
３１        雄ねじ部材
３２        雌ねじ部材
３３        雄ねじ部
３４        頭部
３５        雌ねじ部
３６        頭部
【図１】
0003203168.tif 000003
【図２】
0003203168.tif 000004
【図３】
0003203168.tif 000005
【図４】
0003203168.tif 000006
【図５】
0003203168.tif 000007
【図６】
0003203168.tif 000008
【図７】
0003203168.tif 000009
【図８】
0003203168.tif 000010
【図９】
0003203168.tif 000011